【事件の表示】
　平成１１年特許願第３５５８９２号「遊技機用発光装置及びそれを用いた遊技機」拒絶査定不服審判事件〔平成１３年　６月２６日出願公開、特開２００１−１７０２７２〕について、次のとおり審決する。
【結　論】
　本件審判の請求は、成り立たない。
【理　由】
１．手続の経緯
　本願は、平成１１年１２月１５日の出願であって、平成１５年７月２５日付けで拒絶理由が通知され、これに対し同年９月２６日付けで手続補正がなされ、平成１６年２月６日付けで拒絶査定がなされ、これに対し同年３月１１日に拒絶査定不服審判が請求されるとともに、同年４月９日付けで手続補正がなされたものである。
　
２．平成１６年４月９日付けの手続補正についての補正却下の決定
［補正却下の決定の結論］
　　平成１６年４月９日付けの手続補正を却下する。
　
［理由］
　平成１６年４月９日付けの手続補正（以下、「本件補正」という。）により、特許請求の範囲は、
「【請求項１】　遊技機に取り付けて使用され、かつ遊技状態に応じて発光パターンを変更可能に構成された発光装置であって、
　遊技機の遊技盤前面に固定される固定台に固定された軸を中心として回転可能な光導出部と、
　発光色の異なる複数の光源を集合配置した発光部と、透光性を有する材料にて一部をレンズ状に構成されるとともに、前記複数の光源が取り付けられる素子固定台と一体化してこれらの光源を覆うことにより前記複数の光源からの各光を自身の内部に導いて光軸方向に集光しつつこれを混合し、その混合光を照出する光混合照出部とを有し、前記遊技盤後部に備えられ前記固定台に固定される基板に固定されるとともに、該固定台に形成された孔を貫通し前記遊技盤前面において前記軸の外側に位置する形態で突出する２組の発光ユニットと、
　その発光ユニットの前記各光源の断続的なオン・オフにより点灯時間と消灯時間とのデューティ比を変化させて各光源からの見かけ光量を調整し、それら各光源からの光量に応じて各色の光の混合比率を変化させることにより、照出される前記混合光の色を変更する発光制御部とを備え、
　前記発光制御部は、点灯及び消灯の１周期の長さを０．５マイクロ秒〜２０ミリ秒とし、前記複数の光源のうち少なくともいずれかのデューティ比を漸増又は漸減することによって、前記発光ユニットの混合発光色が見掛け上連続的に変化するように制御することを特徴とする遊技機用発光装置。
【請求項２】　前記複数の光源は、前記光軸を取り囲むように配置された青色ＬＥＤ素子、緑色ＬＥＤ素子及び赤色ＬＥＤ素子を含み、
　前記発光制御部は、前記青色ＬＥＤ素子及び緑色ＬＥＤ素子のデューティ比を互いに反転状態で漸増又は漸減させながら、各ＬＥＤ素子のデューティ比を変化させうる請求項１記載の遊技機用発光装置。
【請求項３】　前記発光ユニットは、前記光源を構成する発光色の異なる複数のＬＥＤ素子が一端側に集合して取り付けられる素子固定台と、その素子固定台の前記一端側に配置されて前記複数のＬＥＤ素子を覆う光混合照出部としての透光性カバー体とが一体化されるとともに、前記素子固定台に、各ＬＥＤ素子のアノードを共通接続した共通電源端子と、各ＬＥＤ素子のカソード端子を個別に取り出した個別制御端子とが形成された複合ＬＥＤ素子を含み、
　前記複合ＬＥＤ素子は、前記電源端子を電源に接続する一方、各個別制御端子をスイッチング制御手段に接続することにより、各色のＬＥＤ素子の発光光量が該スイッチング制御手段により独立にデューティ比制御されるようになっている請求項１又は２に記載の遊技機用発光装置。
【請求項４】　前記発光制御部は、選択すべき発光制御パターンを指定するために入力された選択指令信号を参照して、互いに異なる発光制御パターンから１つのものを選択し、その選択された発光制御パターンに基づいて前記発光ユニットの発光制御を行う請求項１ないし３のいずれか１項に記載の遊技機用発光装置。
【請求項５】　請求項１ないし４のいずれか１項に記載の遊技機用発光装置と、
　遊技状態に応じて、前記発光制御部に入力するべき選択指令信号を出力する選択指令信号出力手段と、
　を備えたことを特徴とする遊技機。」
と補正された。
　
　上記補正は、本件補正前の請求項１〜３及び７を削除するとともに、
　請求項１は、本件補正前の請求項４に記載した発明を特定するために必要な事項である「発光制御部」について「前記発光制御部は、点灯及び消灯の１周期の長さを０．５マイクロ秒〜２０ミリ秒とし、前記複数の光源のうち少なくともいずれかのデューティ比を漸増又は漸減することによって、前記発光ユニットの混合発光色が見掛け上連続的に変化するように制御する」との限定を付加し、
　請求項２は、請求項１に従属するとともに、本件補正前の請求項８の内容に更なる限定事項を付加し、
　請求項３は、請求項１又は２に従属するとともに、本件補正前の請求項５、６の内容を付加し、
　請求項４は、請求項１ないし３のいずれか１項に従属するとともに、本件補正前の請求項９の内容を付加し、
　請求項５は、本件補正前の請求項１０の表現を整えたものであって、
　平成１８年改正前特許法第１７条の２第４項第２号の特許請求の範囲の減縮を目的とするものに該当する。
　そこで、本件補正後の前記請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（２）引用文献
　原査定の拒絶の理由に引用された特開平８−１７３５９８号公報（以下、「引用文献１」という。）には、第１、第２の実施例について、図面とともに、
【請求項１】  遊技板に取り付けるための固定ベースに軸受け孔部を形成し、この軸受け孔部にパイプ状の遮光性を有する外側シャフト部とこれの内部に一体に組み付けられた棒状の透光性を有する内側シャフト部とから構成された導光シャフトを回転可能に装着し、この導光シャフトの固定ベースより突出する先端に可動飾り物を固定し、この可動飾り物の内側シャフト部と対応する部分に発光部を形成し、この発光部への内側シャフト部を経由する照射光を発光するための光源が導光シャフトから離されて固定ベースに取り付けられたことを特徴とする遊技機の可動電飾装置。
【００２５】図１は本発明の第１の実施例に係わる遊技機の可動電飾装置の構成を示す断面図である。本実施例の可動電飾装置７１はランプ風車５５を適用したものであり、固定ベース７３を介してパチンコ機等の遊技機の一部を構成する、即ちデザイン画が施されたセル板４１を装着する遊技板７に取り付けられる。固定ベース７３には詳しくは後述する形状の固定板７９が設けられており、固定板７９にはその背面側、即ち遊技板７の背面側に突出する筒状の突出部８１が設けられている。突出部８１にはその内周面を利用して軸受け孔部８３が形成されており、さらに軸受け孔部８３よりも先端（背面側の先端）側には段差８５を介して軸受け孔部８３よりも半径が大きくなる光源収容室８７を形成する光源収容孔部８９が形成されている。光源収容孔部８９の先端面の所定の位置には後述するＬＥＤランプ１２５を装着するための所定数のねじ穴９１が形成されている。
【００２６】固定ベース７３の軸受け孔部８３内にはランプ風車５５の回転軸として構成された導光シャフト９３が挿入されており、導光シャフト９３の先端（遊技板側を向く先端）側に例えばＥリング、あるいはＣリング等のリング９４が装着されることで、この導光シャフト９３はリング９４を介して段差８５に係合して軸受け孔部８３から引抜くことができないようになっている。
【００３２】・・・風車体１０７は透光性のある例えばプラスチック等で構成されており、その回転方向の中心側には円周状の段差１１１を介して発光部１１３が構成されている。
【００３４】尚、固定ベース７３の固定板７９は完全な円形ではなく、両サイドが外側に突出する略楕円形状に構成されており、その突出する部分にねじ釘（図示せず）が挿入されてセル板４１を装着する遊技板７に取り付けられている。
【００３５】他方、図１に戻り、固定ベース７３の突出部８１の先端には円盤状部材の中心に風車体１０７側へ突出する筒状の突出壁１２１を有して構成される光源収容部１２３が配置されており、この光源収容部１２３の背面側には突出壁１２１内に進入して、図示しない電気ユニットの駆動で点灯するＬＥＤランプ１２５を搭載した配線基板１２７が配置されている。光源収容部１２３、及び、配線基板１２７はともにねじ１２９を挿入する孔が形成されており、その孔へねじ１２９を挿入して突出部８１のねじ穴９１内へねじ込むことにより固定ベース７３に一体的に取り付けられている。
【００３６】・・・例えば図５に示す始動入賞口４７、あるいは入賞口４９等に遊技球が入ったことにより電気ユニットの駆動を介して図１に示すＬＥＤランプ１２５が点灯すると、ＬＥＤランプ１２５の光は内側シャフト部９７の後端より内側シャフト部９７内に入ってその軸方向に沿う方向へ伝搬し内側シャフト９７の先端にある半球形の部分に照射され、さらに半球形の部分で拡散されて外方へ放射される。・・・従ってパチンコ機の遊技制御と関連付けて点滅させることにより遊技性が高めることができる。
【００４１】図６は本発明の第２の実施例に係わる遊技機の可動電飾装置の主要部の構成を示す斜視図である。尚、ここでは導光シャフト１６１、及び光源収容部１７１の構成についてのみ説明して上記実施例と同様の構成をとる固定ベース等の説明は省略する。・・・
【００４３】光源収容部１７１の飾り物側へ向けて突出する筒状の突出壁１７３内には突出壁１７３を周方向に９０度間隔に４つに区分する断面視十字状の区画壁１７５が配置されている。配線基板１７７には光源収容部１７１の突出壁１７３内において区画壁１７５に区画される各室内に個別に進入して、図示しない電気ユニットの駆動で点灯する４つのＬＥＤランプ１７９ａ，１７９ｂ，１７９ｃ，１７９ｄが配置されている。各ＬＥＤランプ１７９ａ，１７９ｂ，１７９ｃ，１７９ｄは発光色を異ならせることが可能である。光源収容部１７１、及び配線基板１７７は図示しないねじにより図示しない固定ベースに一体的に組み付けられる。
【００４４】図７は導光シャフトの製造方法における各工程のうち前段の工程を説明する説明図である。まず例えば旋盤加工、あるいは成形加工等により外側シャフト部１６３を構成するとき、例えば外側シャフト部１６３の側面のうち一部に図示しない小孔を開けておく。そして、図示する通り、外側シャフト部１６３内に外側シャフト部１６３の側面に開けられた小孔を塞ぐことがないようにしつつ仕切り壁１６７を挿入する。次いで、外側シャフト部１６３を一方の成形型の成形空間内に配置し、さらに、他方の成形型を、その成形空間内に一方の成形型から突出する部分の外側シャフト部１６３を挿入しつつ、一方の成形型に型合わせする。次いで、外側シャフト部１６３の小孔に通じる注入口へ透光材としての例えばガラスファイバ、あるいは透明樹脂を注入する。透光材が固化すると、型合わせする成形型内における外側シャフト部１６３内に内側シャフト部１６５が構成される。かくて透光材が固化した後、外側シャフト部１６３を双方の成形型から取り外して導光シャフト１６１を得る。
【００４６】次に、本実施例の動作について説明する。例えば図５に示した始動入賞口４７、あるいは入賞口４９等に遊技球が入ったことにより電気ユニットの駆動を介して図６に示す各ＬＥＤランプ１７９ａ，１７９ｂ，１７９ｃ，１７９ｄが点灯すると、各ＬＥＤランプ１７９ａ，１７９ｂ，１７９ｃ，１７９ｄの光はそれぞれ内側シャフト部１６５内の後端より内側シャフト部１６５内における仕切り壁１６７で区画された領域内をその軸方向に沿う方向に伝搬し、さらにそれぞれ内側シャフト部１６５の先端の半球形の部分で混ざり合って外部へ拡散して放射される。内側シャフト部１６５の先端の半球形の部分から拡散して放射されるそれぞれの光は図示しない飾り物の発光部をそれぞれの色に発光させたり、合成された発光色に発光させたりする。即ち各ＬＥＤランプ１７９ａ，１７９ｂ，１７９ｃ，１７９ｄそれぞれから照射された光は内側シャフト部１６５の先端の半球形の部分で混ざり合うことが可能であるから、飾り物の発光部において見る角度に応じて発光色が各々のＬＥＤランプ１７９ａ，１７９ｂ，１７９ｃ，１７９ｄの発光色で発光したり、合成された発光色で発光するという現象を見ることができる。
【００４７】本実施例にあっては、内側シャフト部１６５を断面視十字状の仕切り壁１６７でその周方向に９０度間隔に４つに区分するとともに、光源収容部１７１の突出壁１７３を断面視十字状の区画壁１７５でその周方向に９０度間隔に４つに区分し、光源を区画壁１７５で区画する室内にそれぞれ発光色の異なる４つのＬＥＤランプ１７９ａ，１７９ｂ，１７９ｃ，１７９ｄを収容するよう構成し、特に仕切り壁１６７の先端を内側シャフト部１６５の半球形に形成された部分に進入させないようにしたことにより、上記実施例の効果と同様の効果を有するのに加えて、半球形の部分を透過する各ＬＥＤランプ１７９ａ，１７９ｂ，１７９ｃ，１７９ｄの光をその半球形の部分で混ぜ合わせることができるから、これにより飾り物の発光部において遊技者の見る角度に応じて発光色が変化するという現象を見ることができ、飾り物のより変化に富んだ発光（色彩）を提供することができ、パチンコ機の遊技制御に関連付けて点滅させる等すれば遊技者により鮮烈にアピールすることができ、遊技性がさらに高まる。
との記載が認められ、
　摘記した上記の記載や図面から見て、以下のことが認定できる。
　図１、４及び段落００３２、００４１の記載等から、発光部１１３は導光シャフト１６１を中心として回転可能となっているものと認められる。
　
　また、原査定の拒絶の理由に引用された特開平１０−２４９０４３号公報（以下、「引用文献２」という。）には、図面とともに、
【００２０】熱陰極管Ｒ，Ｇ，Ｂは、封入されているガスの成分が互いに異なることにより、互いに異なる色の光を発する。熱陰極管Ｒは赤色光、熱陰極管Ｇは緑色光、熱陰極管Ｂは青色光を発する。また、これら熱陰極管は、印加電圧のオン・オフデューティ制御いわゆる調光制御により、発光量が変化する。各熱陰極管の発光の組合せおよび同各熱陰極管の発光量の組合せにより、三原色（赤色，緑色，青色）だけでなく、様々な色の光を発することが可能である。
【００３０】この制御回路の要部を図１に示す。幕板発光ユニット２０は、電源回路２１、およびこの電源回路２１の出力を受けて熱陰極管Ｒ，Ｇ，Ｂをそれぞれ駆動するドライブ回路２２，２３，２４を有する。ドライブ回路２２，２３，２４は、サテライト回路８０に保持された調光制御用データに基づき、熱陰極管Ｒ，Ｇ，Ｂに対する印加電圧のオン・オフデューティ制御を行なう。
【００４０】こうして、各サテライト回路７０，８０に保持される調光制御用データに基づき、各幕板発光ユニット２０，３１，３２のそれぞれ熱陰極管Ｒ，Ｇ，Ｂが調光駆動される。この調光駆動は、次のように行なわれる。
【００４１】たとえば、遊技者がタッチセンサ３３に手指で触れると、対応するパチンコ遊技機２の上方部に位置している幕板発光ユニット２０が発光し、その発光色が赤色から青色、青色から黄色など、時間的に様々に変化する。同時に、タッチ操作がなされた列の両コーナー部に存する各幕板発光ユニット３１も発光し、その発光色が同様に時間的変化する。
【００４７】なお、各幕板発光ユニット２０，３１，３２における発光色の時間的変化とその時間的変化の移動のパターンについては、係員が、集中管理コンピュータ４０でシミュレーションしながら適宜に可変設定することができる。・・・
　
　摘記した上記の記載及びこれらの記載並びに図面からの認定によれば、引用文献１には、第２の実施例に基づいて、
「遊技機の遊技板７に取り付けられ、かつ遊技制御と関連付けて点滅させる可動電飾装置７１であって、
　前記遊技機の遊技板７に取り付けられている固定ベース７３に挿入された導光シャフト１６１を中心として回転可能な発光部１１３と、
　発光色を異ならせることが可能な４つのＬＥＤランプ１７９ａ〜ｄが配置されている光源収容部１７１と、先端に半球形の部分が構成されるとともに、各ＬＥＤランプ１７９ａ〜ｄの光を後端より仕切り壁１６７で区画された領域内でその軸方向に沿う方向に伝搬し、さらにそれぞれ前記半球形の部分で混ざり合って外部へ拡散して放射する透光材よりなる内側シャフト部１６５と、前記遊技板７の背面側に突出する筒状の突出部８１を設けた前記固定ベース７３に取り付けられる前記配線基板１７７に搭載される前記４つのＬＥＤランプ１７９ａ〜ｄと、前記固定ベース７３の軸受け孔部８３内に挿入され、先端が該固定ベース７３より突出する前記導光シャフト１６１を備え、
発光部１１３を合成された発光色に発光させる遊技機の可動電飾装置。」
の発明（以下「引用発明」という。）が開示されていると認めることができ、
　
　引用文献２には、
「遊技システム装置において、赤、緑、青の光を発する光源をオン・オフデューティ制御により発光量を変化させ、その発光量の組合せにより様々な色の光を発することを可能とするとともに、サテライト回路７０，８０に保持される調光制御用データに基づき、各光源を調光駆動し、その発光色を時間的に様々に変化させる技術」
が開示されていると認められる。
　
（３）対比
　そこで、本願補正発明と引用発明とを比較すると、引用発明の「遊技機の遊技板７」は、本願補正発明の「遊技機」に相当し、
以下同様に、「取り付けられ」は「取り付けて使用され」に、
「遊技制御と関連付けて」は「遊技状態に応じて」に、
「可動電飾装置１」は「発光装置」に、
「遊技板７に取り付けられている」は「遊技盤前面に固定される」に、
「固定ベース７３」は「固定台」に、
「挿入された導光シャフト１６１」は「固定された軸」に、
「発光部１１３」は「光導出部」に、
「発光色を異ならせることが可能な４つのＬＥＤランプ１７９ａ〜ｄが配置されている」は「発光色の異なる複数の光源を集合配置した」に、
「光源収容部１７１」は「発光部」に、
「先端に半球形の部分が構成される」は「一部をレンズ状に構成される」に、
「透光材」は「透光性を有する材料」に、
「前記遊技板７の背面側」は「前記遊技盤後部」に、
「取り付けられる」は「固定される」に、
「配線基板１７７」は「基板」に、
「搭載される」は「固定される」に、
「固定ベース７３の軸受け孔部８３」は「固定台に形成された孔」に、
「遊技機の可動電飾装置」は「遊技機用発光装置」に、それぞれ相当する。
　
　さらに、引用文献１の記載等から、以下のことが言える。
ａ．「点滅」も「発光パターンを変更」の一形態であるから、引用発明における「点滅させる」は、本願補正発明の「発光パターンを変更可能に構成された」に実質的に相当する。
　
ｂ．内側シャフト部１６５が、光源収容部１７１とともに４つのＬＥＤランプ１７９ａ〜ｄを覆っていること、４つのＬＥＤランプ１７９ａ〜ｄからの各光を内側シャフト部１６５自身の内部に導いていることは図６及び段落００４６の記載等から明らかであり、また、内側シャフト部１６５先端の半球形の部分は、内側シャフト部１６５と同じ透光材よりなるとともに、その形状から光軸方向への集光作用があると認められるので、引用発明の内側シャフト部１６５は、透光性を有する材料にて一部をレンズ状に構成されるとともに、複数の光源を覆うことにより前記複数の光源からの各光を自身の内部に導いて光軸方向に集光しつつこれを混合し、その混合光を照出する部分である点においては、本願補正発明の「光混合照出部」と共通している。
　
ｃ．引用発明における「配線基板１７７」に搭載される「４つのＬＥＤランプ１７９ａ〜ｄ」と、本願補正発明の「基板」に固定される「発光ユニット」は、いずれも光源部である点で共通している。
　
ｄ．配線基板１７７は遊技板７の背面側に突出する筒状の突出部８１に図１のようにねじ１２９により取り付けられることから、遊技板７の背面側（本願補正発明の「遊技盤後部」に相当）に備えられていると言える。
　
ｅ．図１及び図６から、「導光シャフト１６１」は「固定ベース７３の軸受け孔部８３」（本願補正発明の「固定台に形成された孔」に相当）を貫通し遊技板７前面（本願補正発明の「遊技盤前面」に相当）において突出しているものであることが見て取れる。
　
　以上を総合すると、両者は、
「遊技機に取り付けて使用され、かつ遊技状態に応じて発光パターンを変更可能に構成された発光装置であって、
　遊技機の遊技盤前面に固定される固定台に固定された軸を中心として回転可能な光導出部と、
　発光色の異なる複数の光源を集合配置した発光部と、透光性を有する材料にて一部をレンズ状に構成されるとともに、これらの光源を覆うことにより前記複数の光源からの各光を自身の内部に導いて光軸方向に集光しつつこれを混合し、その混合光を照出する部分と、前記遊技盤後部に備えられ前記固定台に固定される基板に固定される光源部を備える、
　遊技機用発光装置。」
の点で一致し、以下の点で相違している。
［相違点１］
　本願補正発明の「複数の光源」は「素子固定台」に取り付けられ、「光混合照出部」が「素子固定台」と一体化しているのに対し、引用発明の「４つのＬＥＤランプ１７９ａ〜ｄ」はそれぞれが独立しており、「内側シャフト部１６５」と「光源収容部１７１」が別体となっている点。
　
［相違点２］
　本願補正発明の「発光ユニット」が基板に固定されるとともに、遊技盤前面において軸の外側に位置する形態で２組突出しているのに対し、引用発明では「ＬＥＤランプ１７９」が配線基板１７７に搭載される一方、「内側シャフト部１６５」は配線基板１７７には固定されず、また「ＬＥＤランプ１７９」及び「内側シャフト部１６５」を１組しか備えていない点。
　
［相違点３］本願補正発明が
Ａ．各光源の断続的なオン・オフにより点灯時間と消灯時間とのデューティ比を変化させて各光源からの見かけ光量を調整し、それら各光源からの光量に応じて各色の光の混合比率を変化させることにより、照出される前記混合光の色を変更する発光制御部を備える
Ｂ．前記発光制御部は、点灯及び消灯の１周期の長さを０．５マイクロ秒〜２０ミリ秒とする
Ｃ．前記発光制御部は、複数の光源のうち少なくともいずれかのデューティ比を漸増又は漸減することによって、前記発光ユニットの混合発光色が見掛け上連続的に変化するように制御する
ものであるのに対し、引用発明は４つのＬＥＤランプ１７９ａ〜ｄをどのような手段によりどのように制御しているのか明らかでない点。
　
（４）判断
［相違点１、２について］
　引用発明においては、光源部はそれぞれが独立した「４つのＬＥＤランプ１７９ａ〜ｄ」で構成され、それらを「光源収容部１７１」に配置するとともに、「光源収容部１７１」とは別体の「内側シャフト部１６５」で導光し混合するようになっているが、複数のＬＥＤを１つの素子固定台に取り付けるとともに、該複数のＬＥＤからの光を導光し混合する部分を該素子固定台と一体化して設けることは、例えば、原査定の拒絶の理由に引用された特開平７−１５０４４号公報（特に、図１及び段落０００９、００１０）及び特開平１０−１２９２６号公報（特に、図５及び段落００３２〜００３４）、実願昭５８−２０４７６０号（実開昭６０−１１０８８５号）のマイクロフィルム（特に、第４図及び明細書第４頁第５〜１５行）に記載されているように、従来多色発光型ＬＥＤランプとして周知のものである。
　また、引用文献１の図１４、１５及び段落０００２〜０００５の記載からは、遊技板７の前面において回転軸２１の外側に位置する形態で２組のフィラメントランプ１１を、固定ベース３に形成された孔１３ａ、１３ｂに向け、かつ発光側の先端を各孔１３ａ、１３ｂに進入させるように基板１５を介して装着させることが、従来技術であると把握できる。
　さらに、引用発明は、上記ｅに記載したように、図１及び図６から、「導光シャフト１６１」は「固定ベース７３の軸受け孔部８３」（本願補正発明の「固定台に形成された孔」に相当）を貫通し遊技板７前面（本願補正発明の「遊技盤前面」に相当）において突出しているものであることが見て取れる。
　よって、引用発明に、引用文献１記載の従来技術を適用して、「４つのＬＥＤランプ１７９ａ〜ｄ」、「光源収容部１７１」及び「内側シャフト部１６５」等よりなる光源部２組を固定ベースの軸受け部の外側に配置する構成とすることは当業者が容易に想起し得ることであり、その際に前記光源部を従来周知の多色発光型ＬＥＤランプとするとともに、該ランプを遊技板７の前面に突出させて本願補正発明のような構成とすることは、当業者が容易に想到し得る事項である。
　
［相違点３について］
　引用文献２には、２．（２）に記載したとおり、遊技システム装置において、赤、緑、青の光を発する光源をオン・オフデューティ制御により発光量を変化させ、その発光量の組合せにより様々な色の光を発することを可能とするとともに、サテライト回路７０，８０に保持される調光制御用データに基づき、各光源を調光駆動し、その発光色を時間的に様々に変化させる技術が記載されており、発光色の時間的変化パターンについては、係員が、集中管理コンピュータ４０でシミュレーションしながら適宜に可変設定することができる旨の記載（段落００４７）がある。
　そして、引用発明及び引用文献２記載の技術は、いずれも遊技機に関連する分野の技術であるとともに、ＬＥＤの発光量をオン・オフデューティ制御によって行うこと及びＬＥＤを発光させる際に点灯及び消灯の１周期の長さを２０ミリ秒以下とすることも、例えば、特開平０７−１２９０９９号公報（特に、図３及び段落００１０）、特開平１１−１０９９１９号公報（特に、段落０００２、０００３）；特開平０６−２５１２６１号公報（特に、段落００４４）、特開平０８−１８５１３９号公報（特に、段落０００３）に記載されているように、従来周知の技術であるから、引用文献２記載の技術を引用発明に適用して、ＬＥＤランプ１７９の発光を制御するため、相違点３Ａのような発光制御部を備えるとともに、点灯及び消灯の１周期の長さを０．５マイクロ秒〜２０ミリ秒とし（相違点３Ｂ）、混合発光色が見掛け上連続的に変化するように制御すること（相違点３Ｃ）は当業者にとって格別困難なことではない。
　
　さらに、本願補正発明の作用効果も、引用発明、引用文献１記載の従来技術、引用文献２記載の技術及び従来周知の技術から当業者が予測できる範囲のものである。
　したがって、本願補正発明は、引用発明、引用文献１記載の従来技術、引用文献２記載の技術及び従来周知の技術に基づいて、当業者が容易に発明をすることができたものであるから、特許法第２９条第２項の規定により特許出願の際独立して特許を受けることができないものである。
　
（５）むすび
　以上のとおり、本件補正は、平成１８年改正前特許法第１７条の２第５項において準用する同法第１２６条第５項の規定に違反するので、特許法第１５９条第１項において読み替えて準用する特許法第５３条第１項の規定により却下されるべきものである。
　
３．本願発明について
　平成１６年４月９日付の手続補正は上記のとおり却下されたので、本願の請求項４に係る発明（以下、同項記載の発明を「本願発明」という。）は、平成１５年９月２６日付の手続補正書によって補正された明細書の特許請求の範囲の請求項４に記載された事項により特定される、以下のとおりのものである。
「遊技機に取り付けて使用され、かつ遊技状態に応じて発光パターンを変更可能に構成された発光装置であって、
　遊技機の遊技盤前面に固定される固定台に固定された軸を中心として回転可能な光導出部と、
　発光色の異なる複数の光源を集合配置した発光部と、透光性を有する材料にて一部をレンズ状に構成されるとともに、前記複数の光源が取り付けられる素子固定台と一体化してこれらの光源を覆うことにより前記複数の光源からの各光を自身の内部に導いて光軸方向に集光しつつこれを混合し、その混合光を照出する光混合照出部とを有し、前記遊技盤後部に備えられ前記固定台に固定される基板に固定されるとともに、該固定台に形成された孔を貫通し前記遊技盤前面において前記軸の外側に位置する形態で突出する２組の発光ユニットと、
　その発光ユニットの前記各光源の断続的なオン・オフにより点灯時間と消灯時間とのデューティ比を変化させて各光源からの見かけ光量を調整し、それら各光源からの光量に応じて各色の光の混合比率を変化させることにより、照出される前記混合光の色を変更する発光制御部と、
　を備えたことを特徴とする遊技機用発光装置。」
　
（１）引用文献
　原査定の拒絶の理由に引用された引用文献１及びその記載事項は、上記「２．（２）」に記載したとおりである。
　
（２）対比・判断
　本願発明は、上記「２．（１）」で検討した本願補正発明から「発光制御部」についての限定事項である「前記発光制御部は、点灯及び消灯の１周期の長さを０．５マイクロ秒〜２０ミリ秒とし、前記複数の光源のうち少なくともいずれかのデューティ比を漸増又は漸減することによって、前記発光ユニットの混合発光色が見掛け上連続的に変化するように制御する」との構成を省いたものである。
　そうすると、本願発明の構成要件を全て含み、さらに他の構成要件を付加したものに相当する本願補正発明が、上記「２．（４）」に記載したとおり、引用発明、引用文献１記載の従来技術、引用文献２記載の技術及び従来周知の技術に基づいて当業者が容易に発明をすることができたものであるから、本願発明も、同様の理由により、引用発明、引用文献１記載の従来技術、引用文献２記載の技術及び従来周知の技術に基づいて当業者が容易に発明をすることができたものである。
　
（３）むすび
　以上のとおり、本願発明は、引用発明、引用文献１記載の従来技術、引用文献２記載の技術及び従来周知の技術に基づいて、当業者が容易に発明をすることができたものであるから、特許法第２９条第２項の規定により特許を受けることができない。
　そして、他の請求項に係る発明については検討するまでもなく、本願は拒絶すべきものである。
　よって、結論のとおり審決する。